(57)【特許請求の範囲】
【請求項１】
操作装置と、当該操作装置から無線により操作される電子機器とを含む操作システムであって、
前記操作装置及び前記電子機器が動きのある状態又は動きのない状態のいずれの状態にあるかを個別に確認する確認手段と、
前記確認手段により個別に確認された前記操作装置の状態及び前記電子機器の状態に基づいて操作システムの使用状態を判断する判断手段と、
前記判断手段により操作システムの使用状態が所定の使用状態であると判断された場合に、前記操作システムの動作を、前記操作装置による前記電子機器の操作時に確保すべき通常動作よりも消費電力が少ない省電力動作に制御する制御手段と
を備えたことを特徴とする操作システム。
【請求項２】
前記判断手段は、前記確認手段により個別に確認された前記操作装置の状態及び前記電子機器の状態の変化に基づいて操作システムの使用状態を判断することを特徴とする請求項１記載の操作システム。
【請求項３】
前記制御手段は、前記操作システムの前記省電力動作への制御に際し、前記操作装置における所定のディバイスへの電源供給と、前記電子機器における所定のディバイスへの電源供給とを共に停止させることを特徴とする請求項１又は２記載の操作システム。
【請求項４】
前記電子機器における電源供給の停止対象となる前記所定のディバイスは複数であり、
前記制御手段は、前記判断手段による判断結果の内容に応じて、１乃至複数の前記所定のディバイスへの電源供給を停止させることを特徴とする請求項３記載の操作システム。
【請求項５】
前記操作システムの前記省電力動作における動作内容には、前記操作装置と前記電子機器との間の無線による通信モードを通常モードよりも消費電力が少ない省電力モードとする内容が含まれることを特徴とする請求項１乃至４のいずれか１項に記載の操作システム。
【請求項６】
操作装置と、当該操作装置から無線により操作される電子機器とを含む操作システムにおける消費電力制御方法であって、
前記操作装置及び前記電子機器が動きのある状態又は動きのない状態のいずれの状態にあるかを個別に確認する確認工程と、
前記確認工程で確認した前記操作装置及び前記電子機器の状態に基づいて操作システムの使用状態を判断する判断工程と、
前記判断工程により操作システムの使用状態が所定の使用状態であると判断された場合に、前記操作システムの動作を、前記操作装置による前記電子機器の操作時に確保すべき通常動作よりも消費電力が少ない省電力動作に制御する制御工程と
を含むことを特徴とする消費電力制御方法。
【請求項７】
操作装置と、当該操作装置から無線により操作される電子機器とを含む操作システムにおける前記操作装置であって、
当該装置において検出された当該装置が動きのある状態又は動きのない状態のいずれの状態にあるかを示す情報、及び前記電子機器から受信した前記電子機器が動きのある状態又は動きのない状態のいずれの状態にあるかを示す情報に基づいて、前記操作装置及び前記電子機器が動きのある状態又は動きのない状態のいずれの状態にあるかを個別に確認する確認手段と、
前記確認手段により個別に確認された前記操作装置の状態及び前記電子機器の状態に基づいて操作システムの使用状態を判断する判断手段と、
前記判断手段により操作システムの使用状態が所定の使用状態であると判断された場合における所定のディバイスへの電源供給を停止する制御手段と、
前記電子機器に対し、前記判断手段により操作システムの使用状態が所定の使用状態であると判断された場合に前記電子機器が有する所定のディバイスへの電源供給を停止させるための、制御要求を行う制御要求手段と
を備えたことを特徴とする操作装置。
【請求項８】
操作装置と、当該操作装置から無線により操作される電子機器とを含む操作システムにおける前記操作装置が有するコンピュータを、
当該装置において検出された当該装置が動きのある状態又は動きのない状態のいずれの状態にあるかを示す情報、及び前記電子機器から受信した前記電子機器が動きのある状態又は動きのない状態のいずれの状態にあるかを示す情報に基づいて、前記操作装置及び前記電子機器が動きのある状態又は動きのない状態のいずれの状態にあるかを個別に確認する確認手段、
前記確認手段により個別に確認された前記操作装置の状態及び前記電子機器の状態に基づいて操作システムの使用状態を判断する判断手段、
前記判断手段により操作システムの使用状態が所定の使用状態であると判断された場合における所定のディバイスへの電源供給を停止する制御手段、
前記電子機器に対し、前記判断手段により操作システムの使用状態が所定の使用状態であると判断された場合に前記電子機器が有する所定のディバイスへの電源供給を停止させるための、制御要求を行う制御要求手段
として機能させることを特徴とするプログラム。
【請求項９】
操作装置と、当該操作装置から無線により操作される電子機器とを含む操作システムにおける前記電子機器であって、
当該機器において検出された当該機器が動きのある状態又は動きのない状態のいずれの状態にあるかを示す情報、及び前記操作装置から受信した前記操作装置が動きのある状態又は動きのない状態のいずれの状態にあるかを示す情報に基づいて、前記操作装置及び前記電子機器が動きのある状態又は動きのない状態のいずれの状態にあるかを個別に確認する確認手段と、
前記確認手段により個別に確認された前記操作装置の状態及び前記電子機器の状態に基づいて操作システムの使用状態を判断する判断手段と、
前記判断手段により操作システムの使用状態が所定の使用状態であると判断された場合における所定のディバイスへの電源供給を停止する制御手段と、
前記操作装置に対し、前記判断手段により操作システムの使用状態が所定の使用状態であると判断された場合に前記操作装置が有する所定のディバイスへの電源供給を停止させるための、制御要求を行う制御要求手段と
を備えたことを特徴とする電子機器。
【請求項１０】
操作装置と、当該操作装置から無線により操作される電子機器とを含む操作システムにおける前記電子機器が有するコンピュータを、
当該機器において検出された当該機器が動きのある状態又は動きのない状態のいずれの状態にあるかを示す情報、及び前記操作装置から受信した前記操作装置が動きのある状態又は動きのない状態のいずれの状態にあるかを示す情報に基づいて、前記操作装置及び前記電子機器が動きのある状態又は動きのない状態のいずれの状態にあるかを個別に確認する確認手段、
前記確認手段により個別に確認された前記操作装置の状態及び前記電子機器の状態に基づいて操作システムの使用状態を判断する判断手段、
前記判断手段により操作システムの使用状態が所定の使用状態であると判断された場合における所定のディバイスへの電源供給を停止する制御手段、
前記操作装置に対し、前記判断手段により操作システムの使用状態が所定の使用状態であると判断された場合に前記操作装置が有する所定のディバイスへの電源供給を停止させるための、制御要求を行う制御要求手段
として機能させることを特徴とするプログラム。
【請求項１１】
前記電子機器は、被写体を撮像する撮像手段を含み、当該撮像手段により撮像した撮像画像を前記操作装置へ送信するとともに、操作装置から無線による操作に応じ撮影動作を行う撮像装置であり、
前記操作装置は、前記撮像装置から受信した前記撮像画像を表示する表示手段、及び前記撮像装置に撮影動作を行わせる操作を行うための操作手段を含む
ことを特徴とする請求項１乃至５いずれか記載の操作システム。
【発明の詳細な説明】
【技術分野】
【０００１】
本発明は、無線接続された操作装置と電子機器とからなる操作システムにおける消費電力の低減化技術に関するものである。
【背景技術】
【０００２】
従来、デジタルカメラにおける消費電力の低減化技術として、例えば下記特許文献１には、デジタルカメラのＬＣＤに画像を表示している間に所定時間何の操作もなされなければ画像の表示を停止し、その状態で電源スイッチまたは表示スイッチが操作されると画像の表示を再開する技術が記載されている。
【０００３】
さらに、下記特許文献２には、デジタルカメラにおいてユーザーが構図を決めるためにカメラの姿勢を縦横上下と変えているときは、カメラの操作を行わない状態が一定時間続いても、カメラを使用していると判断し、オートパワーオフが働かないようにする技術が記載されている。
【先行技術文献】
【特許文献】
【０００４】
【特許文献１】特開２０００−５０１２４号公報
【特許文献２】特開２００６−１６５８４２号公報
【発明の概要】
【発明が解決しようとする課題】
【０００５】
しかしながら、上述した技術はあくまでも一般的なデジタルカメラの使用形態を考慮したものに過ぎない。そのため上述した技術を、撮影レンズや撮像素子等からなる撮像部と、モニター及び操作スイッチを含む操作部とからなり、操作部から無線で撮像部を操作可能とした操作システムとしての機能を有するカメラ装置に適用した場合には、消費電力を必ずしも効果的に削減できるとは限らないという問題があった。
【０００６】
これは、操作部が外部に用意されたカメラ装置においては、その使用形態が一般的なデジタルカメラと異なり、撮影時に撮像部と操作部とが離れた特有の使用形態で使用される場合が多いためである。
【０００７】
本発明は、かかる従来の課題に鑑みてなされたものであり、撮像部と操作部とからなる構成のカメラ装置等の操作システムにおいて消費電力を効果的に削減可能とする技術を提供することを目的とする。
【課題を解決するための手段】
【０００８】
前記課題を解決するため、第１の観点に係る発明においては、操作装置と、当該操作装置から無線により操作される電子機器とを含む操作システムであって、前記操作装置及び前記電子機器が動きのある状態又は動きのない状態のいずれの状態にあるかを個別に確認する確認手段と、前記確認手段により個別に確認された前記操作装置の状態及び前記電子機器の状態に基づいて操作システムの使用状態を判断する判断手段と、前記判断手段により操作システムの使用状態が所定の使用状態であると判断された場合に、前記操作システムの動作を、前記操作装置による前記電子機器の操作時に確保すべき通常動作よりも消費電力が少ない省電力動作に制御する制御手段とを備えたことを特徴とする。
【０００９】
また、第２の観点に係る発明においては、操作装置と、当該操作装置から無線により操作される電子機器とを含む操作システムにおける消費電力制御方法であって、前記操作装置及び前記電子機器が動きのある状態又は動きのない状態のいずれの状態にあるかを個別に確認する確認工程と、前記確認工程で確認した前記操作装置及び前記電子機器の状態に基づいて操作システムの使用状態を判断する判断工程と、前記判断工程により操作システムの使用状態が所定の使用状態であると判断された場合に、前記操作システムの動作を、前記操作装置による前記電子機器の操作時に確保すべき通常動作よりも消費電力が少ない省電力動作に制御する制御工程とを含むことを特徴とする。
【００１０】
また、第３の観点に係る発明においては、操作装置と、当該操作装置から無線により操作される電子機器とを含む操作システムにおける前記操作装置であって、当該装置において検出された当該装置が動きのある状態又は動きのない状態のいずれの状態にあるかを示す情報、及び前記電子機器から受信した前記電子機器が動きのある状態又は動きのない状態のいずれの状態にあるかを示す情報に基づいて、前記操作装置及び前記電子機器が動きのある状態又は動きのない状態のいずれの状態にあるかを個別に確認する確認手段と、
【００１１】
前記確認手段により個別に確認された前記操作装置の状態及び前記電子機器の状態に基づいて操作システムの使用状態を判断する判断手段と、前記判断手段により操作システムの使用状態が所定の使用状態であると判断された場合における所定のディバイスへの電源供給を停止する制御手段と、前記電子機器に対し、前記判断手段により操作システムの使用状態が所定の使用状態であると判断された場合に前記電子機器が有する所定のディバイスへの電源供給を停止させるための、制御要求を行う制御要求手段とを備えたことを特徴とする。
【００１２】
また、第４の観点に係る発明においては、操作装置と、当該操作装置から無線により操作される電子機器とを含む操作システムにおける前記操作装置が有するコンピュータを、当該装置において検出された当該装置が動きのある状態又は動きのない状態のいずれの状態にあるかを示す情報、及び前記電子機器から受信した前記電子機器が動きのある状態又は動きのない状態のいずれの状態にあるかを示す情報に基づいて、前記操作装置及び前記電子機器が動きのある状態又は動きのない状態のいずれの状態にあるかを個別に確認する確認手段、前記確認手段により個別に確認された前記操作装置の状態及び前記電子機器の状態に基づいて操作システムの使用状態を判断する判断手段、前記判断手段により操作システムの使用状態が所定の使用状態であると判断された場合における所定のディバイスへの電源供給を停止する制御手段、前記電子機器に対し、前記判断手段により操作システムの使用状態が所定の使用状態であると判断された場合に前記電子機器が有する所定のディバイスへの電源供給を停止させるための、制御要求を行う制御要求手段として機能させることを特徴とする。
【００１３】
また、第５の観点に係る発明においては、操作装置と、当該操作装置から無線により操作される電子機器とを含む操作システムにおける前記電子機器であって、当該機器において検出された当該機器が動きのある状態又は動きのない状態のいずれの状態にあるかを示す情報、及び前記操作装置から受信した前記操作装置が動きのある状態又は動きのない状態のいずれの状態にあるかを示す情報に基づいて、前記操作装置及び前記電子機器が動きのある状態又は動きのない状態のいずれの状態にあるかを個別に確認する確認手段と、前記確認手段により個別に確認された前記操作装置の状態及び前記電子機器の状態に基づいて操作システムの使用状態を判断する判断手段と、前記判断手段により操作システムの使用状態が所定の使用状態であると判断された場合における所定のディバイスへの電源供給を停止する制御手段と、前記操作装置に対し、前記判断手段により操作システムの使用状態が所定の使用状態であると判断された場合に前記操作装置が有する所定のディバイスへの電源供給を停止させるための、制御要求を行う制御要求手段とを備えたことを特徴とする。
【００１４】
また、第６の観点に係る発明においては、操作装置と、当該操作装置から無線により操作される電子機器とを含む操作システムにおける前記電子機器が有するコンピュータを、当該機器において検出された当該機器が動きのある状態又は動きのない状態のいずれの状態にあるかを示す情報、及び前記操作装置から受信した前記操作装置が動きのある状態又は動きのない状態のいずれの状態にあるかを示す情報に基づいて、前記操作装置及び前記電子機器が動きのある状態又は動きのない状態のいずれの状態にあるかを個別に確認する確認手段、前記確認手段により個別に確認された前記操作装置の状態及び前記電子機器の状態に基づいて操作システムの使用状態を判断する判断手段、前記判断手段により操作システムの使用状態が所定の使用状態であると判断された場合における所定のディバイスへの電源供給を停止する制御手段、前記操作装置に対し、前記判断手段により操作システムの使用状態が所定の使用状態であると判断された場合に前記操作装置が有する所定のディバイスへの電源供給を停止させるための、制御要求を行う制御要求手段として機能させることを特徴とする。
【発明の効果】
【００１５】
本発明によれば、撮像部と操作部とからなる構成のカメラ装置等の操作システムにおいて消費電力を効果的に削減することができる。
【図面の簡単な説明】
【００１６】
【図１】本発明に係るカメラ装置を構成する撮像装置及び操作装置の電気的構成の要部を示すブロック図である。
【図２】第１及び第２の実施形態に共通する操作装置（リモコン）の動作を示すフローチャートである。
【図３】第１の実施形態における電源制御処理を示すフローチャートである。
【図４】第１の実施形態における撮像装置（カメラ）の動作を示すフローチャートである。
【図５】撮像装置（カメラ）及び操作装置（リモコン）の電源制御内容を示した図である。
【図６】第２の実施形態における電源制御処理を示すフローチャートである。
【図７】制御テーブルを示す概念図である。
【発明を実施するための形態】
【００１７】
以下、本発明の実施形態について説明する。
【００１８】
（実施形態１）
本実施形態は、一般的なデジタルカメラにおける撮影レンズや撮像素子等からなる撮像部に対して、モニター及び操作スイッチを含む操作部が外部に用意された構成のものに相当するカメラ装置に関するものである。具体的には、撮像部のみを単独で任意の場所に設置して、離れた場所で操作部から無線により撮像部を操作可するカメラ装置であって、操作システムとしての機能を備えたカメラ装置に関するものである。
図１は、本発明の一実施形態として例示するカメラ装置の電気的構成の要部を示すブロック図であり、本実施形態のカメラ装置は、無線通信によってデータの送受信が可能な前記撮像部に相当する撮像装置１と前記操作部に相当する操作装置２とから構成される。
【００１９】
まず、撮像装置１の電気的構成について説明する。撮像装置１は、主としてＭＣＵ（Micro Controller Unit）１１と、ＤＳＰ（Digital Signal Processor）１２、撮像部１３、外部記憶装置１４、加速度センサー１５、通信部１６、電源部１７とから構成される。
【００２０】
ＭＣＵ１１は、プログラムが格納されたＲＯＭ（Read Only Memory）、作業用のＲＡＭ（Random Access memory）等を含むコンピュータであり、ＲＯＭに記憶されているプログラムに従い撮像装置１の各部を制御する。
【００２１】
撮像部１３は、被写体を撮像するＣＣＤ（Charge Coupled Device）やＣＭＯＳ（Complementary Meta1 0xide Semiconductor）型の撮像素子と、その駆動回路と、撮像素子から出力された撮像信号の増幅、デジタル信号への変換を行うＡＦＥ（Analog Front End）から構成される。
【００２２】
ＤＳＰ１２は、撮像部１３から出力されたデジタル変換後の撮像信号に所定のプログラムに基づく複数段階の信号処理を行い撮像画像のデータを生成し、撮影時には、ＪＰＥＧ（Joint Photographic Expert Group）方式等で圧縮した記録用の画像データも生成する。
【００２３】
外部記憶装置１４は、撮像装置１の本体に着脱自在な各種のメモリカードであり、撮影時にＤＳＰ１２によって生成された記録用の画像データが記憶される。
【００２４】
加速度センサー１５は、撮像装置１における３軸方向の加速度を検出するセンサーであり、加速度センサー１５の検出信号は、図示しないアンプやＡ／Ｄ変換器を介してＭＣＵ１１へ供給される。
【００２５】
通信部１６は、操作装置２との間でＢｌｕｅｔｏｏｔｈ（登録商標）による近距離の無線通信を行う通信回路により構成され、操作装置２との間でデータ通信を行う。
【００２６】
電源部１７は、電源電池（例えばニッケル水素電池等の充電池）、及びＤＣ／ＤＣコンバータ等で構成され、上記の各部に対して各々が必要とする電力を供給する。なお、電源部１７には電源スイッチが含まれる。
【００２７】
そして、撮像装置１においては、ＭＣＵ１１が、撮像部１３を駆動させている間に、ＤＳＰ１２が生成した撮像画像のデータを通信部１６を介して操作装置２へ送信し、また、操作装置２からの要求に応じて外部記憶装置１４から読み出した画像データも操作装置２へ送信する。そして、ＭＣＵ１１は、後述するように、操作装置２からの要求に応じて撮像装置１における電源制御等を行う。
【００２８】
次に、操作装置２の電気的構成について説明する。操作装置２は、主としてＭＣＵ２１と、表示装置２２、操作部２３、加速度センサー２４、通信部２５、電源部２６から構成される。
【００２９】
ＭＣＵ２１の構成は、撮像装置１が有するＭＣＵ１１と基本的には同様であり、ＲＯＭに記憶されているプログラムに従い操作装置２の各部を制御する。
【００３０】
表示装置２２はカラーの液晶モニター（以下、ＬＣＤとも称す）であり、前述した撮像画像をスルー画像として表示するとともに、ユーザーに撮影条件や、カメラ装置が有する各種機能を設定させるためのメニュー画面等の各種情報を表示する。また、表示装置２２は撮像装置１から送られた記録用の画像データに基づく画像、すなわち過去に撮影され、記憶されている撮影画像も表示する。
【００３１】
操作部２３は、電源スイッチやシャッターボタンを含む複数の操作スイッチにより構成される。
【００３２】
加速度センサー２４は、操作装置２における３軸方向の加速度を検出するセンサーであり、加速度センサー２４の検出信号は、図示しないアンプやＡ／Ｄ変換器を介してＭＣＵ２１へ供給される。
【００３３】
通信部１６は、撮像装置１との間でＢｌｕｅｔｏｏｔｈ（登録商標）による近距離の無線通信を行う通信回路により構成され、撮像装置１との間でデータ通信を行う。
【００３４】
電源部１７は、電源電池（例えばニッケル水素電池等の充電池）、及びＤＣ／ＤＣコンバータ等で構成され、上記の各部に対して各々が必要とする電力を供給する。
【００３５】
そして、操作装置２においては、ＭＣＵ２１が、操作部２３の所定の操作スイッチによるユーザーからの操作指示の内容を通信部２５を介して撮像装置１へ送信したり、通信部２５を介して撮像装置１から受信したスルー画像を表示装置２２に表示させたりする。また、ＭＣＵ２１は、後述するように、撮像装置１に対して電源制御等を含む各種の処理を要求するとともに、操作装置２における電源制御を行う。
【００３６】
次に、以上の構成からなるカメラ装置の本発明に係る動作について説明する。ここでは撮像装置１と操作装置２とが予めＢｌｕｅｔｏｏｔｈ（登録商標）におけるペアリングが完了しており、双方の電源がオンされるとカメラ装置が直ちに撮影待機状態となることを前提とする。すなわち撮像装置１が所定のフレームレートで撮像動作を開始し、被写体の撮像画像のデータを操作装置２へ逐次送信する一方、操作装置２がそれを受信し、表示装置２２にスルー画像を表示する状態となることを前提とする。
【００３７】
なお、以下の説明では、便宜上、撮像装置１をカメラと呼び、操作装置２をリモコンと呼ぶこととする。
【００３８】
（リモコンの動作）
まず、撮影待機状態におけるリモコン（操作装置）２の本発明に係る動作について説明する。図２は、ＭＣＵ２１がＲＯＭに記憶されているプログラムに従い実行する処理の内容を示した図２のフローチャートである。
【００３９】
ＭＣＵ２１は、スルー画像の表示を開始した後、直ちに内部クロックにより実現される１秒タイマをスタートさせ（ステップＳＡ１）、１秒毎に（ステップＳＡ２：ＹＥＳ）、電源制御処理を実行する（ステップＳＡ３）。係る処理は、リモコン２とカメラ１との双方の電源を制御する処理であり、詳細については後述する。
【００４０】
また、ＭＣＵ２１は、１秒タイマのカウント時間が１秒に達するまでは（ステップＳＡ２：ＮＯ）、ユーザーからの電源スイッチの操作による電源オフ指示の有無、及びシャッターボタンの操作による撮影指示の有無を逐次確認する（ステップＳＡ４，ＳＡ５）。
【００４１】
ＭＣＵ２１は、上記のいずれの操作もなければ（ステップＳＡ４，ＳＡ５が共にＮＯ）、ステップＳＡ２の処理へ戻り、１秒毎に（ステップＳＡ２：ＹＥＳ）、電源制御処理を実行する（ステップＳＡ３）。
【００４２】
また、その間にＭＣＵ２１は、撮影指示があれば（ステップＳＡ５：ＹＥＳ）、カメラ１へ撮影を要求する要求信号を送信した後（ステップＳＡ６）、ステップＳＡ２の処理へ戻り、電源オフ操作があれば（ステップＳＡ４：ＹＥＳ）、カメラ１へ電源オフを通知した後（ステップＳＡ７）、リモコン２の電源をオフして（ステップＳＡ８）、全ての処理を終了する。
【００４３】
次に、前述したステップＳＡ３においてＭＣＵ２１が実行する１秒毎の電源制御処理の具体的内容を図３のフローチャートに従い説明する。
【００４４】
電源制御処理に際してＭＣＵ２１は、まずカメラ（撮像装置）１に対して状態の取得を要求する旨の通知を行う（ステップＳＡ３１）。ここで、状態とは、カメラにおける動きの有無に関する状態であり、動きがある動作状態と、静止している静止状態とのいずれかであり、ステップＳＡ３１における通知は、係る状態を取得するともに、それを示す状態情報をリモコン２へ送信することを要求するものである。
【００４５】
なお、カメラ１においては、後述するように係る要求に応答し、加速度センサー１５の検出値から自己の状態を確認し、確認した状態を示す状態情報をリモコン２へ送信することとなる。
【００４６】
ＭＣＵ２１は、カメラ１から上記の状態情報を受信することによりカメラ１の状態が取得できるまで処理待ちを行い（ステップＳＡ３２：ＮＯ）、カメラ１の状態が取得できたら（ステップＳＡ３２：ＹＥＳ）、次に、リモコン２の状態を取得する（ステップＳＡ３３）。すなわちリモコン２が動作状態、又は静止状態のいずれであるかを確認する。
【００４７】
そして、ＭＣＵ２１は、リモコン２が静止状態であるときには（ステップＳＡ３４：「静止」）、カメラ装置の使用状態が、ユーザーがカメラ１を任意の場所にセッティング中である状態、又は未使用の状態であるかのいずれかであると判断し、カメラ１側へ次の内容の電源制御要求を通知する。
【００４８】
すなわちＭＣＵ２１は、カメラ１側に対して、ＤＳＰ１２と撮像部（撮像素子）１３（複数のディバイス）の電源をオフにする内容の電源制御を要求する（ステップＳＡ３５）。つまり、カメラ１側に対して、撮影待機状態における動作モードをＤＳＰ１２と撮像部（撮像素子）１３との双方の消費電力を削減する第１の省電力モードへの移行を要求する。
【００４９】
その後、ＭＣＵ２１は、通信部２５における通信モードを、相手側（カメラ１）からの送信の有無を一定の時間間隔をおいてのみ確認する省電力モード（所謂スニフモード）に設定する（ステップＳＡ３６）。なお、既に通信モードが省電力モードである場合には、その通信モードを維持する。
【００５０】
さらに、ＭＣＵ２１は、所定のディバイスであるＬＣＤ２２の電源をオフにする電源制御を行う（ステップＳＡ３７）。つまりリモコン２の動作モードをＬＣＤ２２の消費電力を削減する省電力モードとする。ここでも、既にＬＣＤ２２の電源をオフにしている場合には、その状態を維持する。
【００５１】
一方、ＭＣＵ２１は、上記とは異なりリモコン２が動作状態であるときには（ステップＳＡ３４：「動作」）、カメラ１の状態に応じて以下の異なる処理を行う。
【００５２】
まず、ＭＣＵ２１は、カメラ１が静止状態であれば（ステップＳＡ３８：「静止」）、カメラ装置の使用状態が、ユーザーが撮影を実施しようとしている状態であると判断し、カメラ１側に対して、ＤＳＰ１２と撮像部（撮像素子）１３の電源をオンにする（電源供給を開始又は続行する）内容の電源制御を要求する（ステップＳＡ３９）。つまり、カメラ１側に対して、動作モードをＤＳＰ１２と撮像部（撮像素子）１３との電源をオンにした通常モードへの移行を要求する。
【００５３】
その後、ＭＣＵ２１は、通信部２５における通信モードを通常モード（所謂アクティブモード）に設定する（ステップＳＡ４０）。なお、既に通信モードが通常モードである場合には、その通信モードを維持する。
【００５４】
さらに、ＭＣＵ２１は、ＬＣＤ２２の電源をオンにする電源制御を行う（ステップＳＡ４１）。つまりリモコン２の動作モードをＬＣＤ２２の電源をオンにした通常モードとする。ここでも、既にＬＣＤ２２の電源をオンにしている場合には、その状態を維持する。
【００５５】
また、上述した場合と異なりカメラ１が動作状態であれば（ステップＳＡ３８：「動作」）、ＭＣＵ２１は、カメラ装置の使用状態が、ユーザーがカメラ１を持って移動している状態であると判断し、カメラ１側に対して、ＤＳＰ１２の電源をオンに、かつ撮像部（撮像素子）１３の電源をオフにする内容の電源制御を要求する（ステップＳＡ４０）。つまりカメラ１側に対して、動作モードを撮像部（撮像素子）１３のみの消費電力を削減する第２の省電力モードへの移行を要求する。
【００５６】
その後、ＭＣＵ２１は、通信部２５における通信モードを前述した省電力モードに設定する（ステップＳＡ４３）。なお、既に通信モードが省電力モードである場合には、その通信モードを維持する。
【００５７】
そして、ＭＣＵ２１は、ＬＣＤ２２の電源をオンにする電源制御を行う（ステップＳＡ４１）。つまりリモコン２の動作モードをＬＣＤ２２の電源をオンにした通常モードとする。ここでも、既にＬＣＤ２２の電源をオンにしている場合には、その状態を維持する。
【００５８】
（カメラの動作）
次に、リモコン２側のＭＣＵ２１による上述した処理に対応したカメラ（撮像装置）１の本発明に係る動作について説明する。図４は、カメラ１においてＭＣＵ１１がＲＯＭに記憶されているプログラムに従い実行する処理の内容を示したフローチャートである。
【００５９】
ＭＣＵ１１は、撮影待機状態において所定のフレームレートでの撮像、及び撮像画像のリモコン２への送信を開始した後には、リモコン２からの要求待ち状態にあり、リモコン２から無線で送られる前述した電源オフの通知（電源オフ要求）、及び撮影要求を含む各種の要求の有無を随時確認する（ステップＳＢ１）。
【００６０】
そして、ＭＣＵ１１は、リモコン２から何らかの要求があると（ステップＳＢ１：ＹＥＳ）、その要求に応じた以下の処理を実行する。
【００６１】
すなわち、ＭＣＵ１１は、リモコン２からの要求が電源オフ要求であれば（ステップＳＢ２：ＹＥＳ）、直ちにカメラ１の電源をオフして（ステップＳＢ３）、全ての処理を終了する。
【００６２】
また、ＭＣＵ１１は、リモコン２からの要求が撮影要求であれば（ステップＳＢ４：ＹＥＳ）、撮影処理を行う（ステップＳＢ５）。すなわち撮像部１３において被写体を撮像し、ＤＳＰ１２が生成した記録用の画像データを外部記憶装置１４に記憶する。
【００６３】
また、ＭＣＵ１１は、リモコン２からの要求が前述した電源制御要求ではなく、カメラ１の状態取得要求であったときには（ステップＳＢ６：ＮＯ）、加速度センサー１５の検出値からカメラ１の状態を確認（取得）し（ステップＳＢ７）、確認した状態をリモコン２へ通知する。つまり確認した状態を示す状態情報をリモコン２へ送信する（ステップＳＢ８）。その後、ＭＣＵ１１は、ステップＳＢ１へ戻り、再びリモコン２からの要求待ちを行う。
【００６４】
また、ＭＣＵ１１は、リモコン２からの要求が前述した電源制御要求であったときには（ステップＳＢ６：ＹＥＳ）、リモコン２からの要求に応じて、ＤＳＰ１２と、撮像素子つまり撮像部１３における電源処理を行う（ステップＳＢ９）。
【００６５】
すなわちステップＳＢ９の処理においてＭＣＵ１１は、リモコン２が静止状態であって、リモコン２においてカメラ装置の使用状態が、カメラ１のセッティング中、又は未使用の状態のいずれかであると判断されていたときには、ＤＳＰ１２と撮像部（撮像素子）１３との電源をオフにする。つまりＭＣＵ１１は、カメラ１の動作モードを消費電力が最も少ない第１の省電力モードとする。なお、既にカメラ１の動作モードが第１の省電力モードである場合には、その動作モードを維持する。
【００６６】
また、リモコン２が動作状態で、かつカメラ１が静止状態であって、リモコン２においてカメラ装置の使用状態が、ユーザーが撮影を実施しようとしている状態であると判断されていたときには、ＤＳＰ１２と撮像部（撮像素子）１３との電源をオンにする。つまりＭＣＵ１１は、カメラ１の動作モードを通常モードとする。なお、既にカメラ１の動作モードが通常モードである場合には、その動作モードを維持する。
【００６７】
さらに、リモコン２とカメラ１とが共に動作状態であって、リモコン２においてカメラ装置の使用状態が、ユーザーがカメラ１を持って移動している状態であると判断されていたときには、ＤＳＰ１２の電源をオンに、かつ撮像部（撮像素子）１３の電源をオフにする。つまりＭＣＵ１１は、カメラ１の動作モードを、消費電力が通常モードと第１の省電力モードとの間となる第２の省電力モードとする。なお、既にカメラ１の動作モードが第２の省電力モードである場合には、その動作モードを維持する。
【００６８】
図５は、上記の電源処理によるカメラ１のＤＳＰ１２と撮像部（撮像素子）１３の電源制御内容、及び前述したリモコン２における電源制御処理によるＬＣＤ２２の電源制御内容を、各々が対応するカメラ１及びリモコン２の状態、及び想定されるカメラ装置の使用状態と共に示した図である。
【００６９】
そして、上記の電源処理を行った後、ＭＣＵ１１は、リモコン２へ処理が完了した旨を通知する（ステップＳＢ１０）。
【００７０】
さらに、ＭＣＵ１１は、通信部１６における通信モードをリモコン２側と同様のモードに変更する通信モード処理を行う（ステップＳＢ１１）。すなわち、ステップＳＢ９の処理に際して撮像部（撮像素子）１３の電源をオフとした場合には、通信モード処理を省電力モードに設定し、撮像部（撮像素子）１３の電源をオンとした場合には、通信モード処理を通常モードに設定する。
【００７１】
以後、ＭＣＵ１１は、ステップＳＢ１へ戻り、再びリモコン２からの要求待ちを行うとともに、前述した処理を繰り返す。なお、その間には、リモコン２側において１秒毎に電源制御処理（図３）が行われているため、ＭＣＵ１１は、１秒毎に前述したステップＳＢ６〜ステップＳＢ１１の処理を実行する。
【００７２】
以上説明したように、本実施形態のカメラ装置においては、撮影待機状態にある間、カメラ１とリモコン２にそれぞれ設けた加速度センサー１５，２４の情報から、カメラ１とリモコン２との状態（動作状態、又は静止状態）を確認し、それに基づいてカメラ装置の使用状態を判断する。
【００７３】
そして、その判断結果に応じてカメラ１の動作モードを適宜第１の省電力モード及び第２の省電力モードに設定し、かつリモコン２の動作モードを適宜省電力モードに設定する。すなわちカメラ装置の使用状態が、カメラ１のセッティング中、又は未使用の状態や、ユーザーがカメラ１を持って移動している状態であると判断したときには、直ちにカメラ１の動作モードを第１又は第２の省電力モードとし、かつリモコン２の動作モードを適宜省電力モードとする。つまり予め想定されるカメラ装置の使用状態に即して、カメラ装置としての動作モードを適宜省電力モードに設定する（図５参照）。
【００７４】
したがって、カメラ装置がカメラ１とリモコン２とから構成されており、カメラ１のみを単独で任意の場所に設置し、カメラ１から離れた場所でリモコン２を操作して撮影を行うといった、一般的なデジタルカメラと異なる特有の使用形態での使用されている間における消費電力を効果的に削減することができる。
【００７５】
また、カメラ装置としての動作モードを省電力モードに設定している間には、カメラ１とリモコン２との間の通信モードも省電力モードとすることから、消費電力をより一層効果的に削減することができる。
【００７６】
また、カメラ１については、ＤＳＰ１２と撮像部（撮像素子）１３との電源を個別に制御可能な構成とし、カメラ１とリモコン２との双方が動いており、ユーザーがカメラ１を持って移動している状態であると判断した場合には、動作モードして撮像部（撮像素子）１３のみの電源をオフする第２の省電力モードを設定し、同時にリモコン２を通常モードに設定するようにした。
【００７７】
これにより、例えばユーザーが任意の場所にカメラ１を設置した後、直ちに撮影を行うような場合には、ＤＳＰ１２の起動時間を待たずに瞬時に撮影を行うことができ、利便性を確保したままで消費電力を削減することができる。
【００７８】
（実施形態２）
次に、本発明の第２の実施形態について説明する。本実施形態は、第１の実施形態で説明した構成からカメラ装置において、リモコン２のＭＣＵ２１が前述した１秒毎の電源制御処理に際して第１の実施形態とは異なる処理を行うものである。
【００７９】
以下、本実施形態における電源制御処理を図６に示したフローチャートに従い具体的に説明する。
【００８０】
本実施形態においても電源制御処理に際してＭＣＵ２１は、まずカメラ（撮像装置）１に対して状態（動作状態、又は静止状態）の取得を要求する旨の通知を行い（ステップＳＡ１３１）、カメラ１からの状態情報の受信待ちを行う（ステップＳＡ１３２）。さらに、ＭＣＵ２１は、カメラ１の状態が取得できたら（ステップＳＡ１３２：ＹＥＳ）、次に、リモコン２の状態を取得する（ステップＳＡ１３３）。ここまでは、第１の実施形態と同様である。
【００８１】
その後、本実施形態においてＭＣＵ２１は、まずカメラ１とリモコン２とのいずれかにおいて、１秒前、つまり前回の電源制御処理を行った時点から状態に変化があったか否かを確認する（ステップＳＡ１３４）。
【００８２】
ここで、カメラ１とリモコン２との双方において状態の変化がなかった場合には（ステップＳＡ１３４：ＮＯ）、ＭＣＵ２１は、直近１０秒間において双方の状態に変化があったか否かをさらに確認する（ステップＳＡ１３５）。なお、係る処理は、ＭＣＵ２１が直近の１０秒間に行った電源制御処理において確認したカメラ１とリモコン２との双方の状態を作業用のＲＡＭに記憶しておくことにより行われる。
【００８３】
そして、ＭＣＵ２１は、直近１０秒間に双方のいずれかにおいて状態の変化があった場合には（ステップＳＡ１３５：ＹＥＳ）、そのまま電源制御処理を終了し、前述した図２の処理に戻る。つまりカメラ１とリモコン２とにおける動作モード（通常モード又は省電力モード）を維持する。
【００８４】
また、上記とは逆に直近１０秒間においてカメラ１とリモコン２との双方の状態に変化が無かった場合（ステップＳＡ１３５：ＮＯ）、ＭＣＵ２１は、カメラ装置が未操作状態にあると判断し、カメラ１側に対して、ＤＳＰ１２と撮像部（撮像素子）１３との電源をオフにする内容の電源制御を要求する（ステップＳＡ１３６）。
【００８５】
つまりカメラ１の動作モードが通常モード又は第２の省電力モードであれば、動作モードを第１の省電力モードへ移行させ、既に第１の省電力モードであれば、その状態を維持させる。
【００８６】
さらに、ＭＣＵ２１は、ＬＣＤ２２の電源をオフにする電源制御を行う（ステップＳＡ１３７）。つまりリモコン２の動作モードが、その時点で省電力モードでなければ省電力モードとする。
【００８７】
一方、ＭＣＵ２１は、上記の場合とは異なり、カメラ１とリモコン２とのいずれかにおいて、１秒前の時点から状態に変化があった場合には（ステップＳＡ１３４：ＹＥＳ）、ＭＣＵ２１のＲＯＭに記憶されている図７に示した制御テーブルを参照して以下の処理を行う。
【００８８】
この制御テーブルは、予め設定されているカメラ１とリモコン２との状態変化（変化なしを含む）のパターンと、予め予測可能なユーザーの行動内容（行動予測）と、カメラ１のＤＳＰ１２と撮像部（撮像素子）１３の電源制御内容と、リモコン２のＬＣＤ２２の電源制御内容との関係を示すものである。
【００８９】
以下、説明するとＭＣＵ２１は、まず上記の制御テーブルを参照し、カメラ１とリモコン２との状態変化からユーザー（撮影者）の行動を予測する（ステップＳＡ１３８）。すなわち上記の制御テーブルにおいて、カメラ１とリモコン２との状態変化に対応するユーザーの行動内容を確認することにより、ユーザーの行動を予測する。
【００９０】
ここで、ＭＣＵ２１が予測可能な行動内容は、図７に示したように、カメラの移動開始、カメラの移動中、カメラの設置完了、撮影者の移動中、撮影者及びカメラの移動中、カメラの設定完了、撮影者の移動完了の７パターンのいずれかである。
【００９１】
例えばカメラ１の状態変化が「静→動」であった場合においては、リモコン２の状態が「静→動」であれば、ユーザーが「撮影しようとしている」と予測し、リモコン２の状態がそれ以外の「動→動」、「動→静」、「静→静」であれば、ユーザーが「カメラの移動を開始」したと予測する。
【００９２】
しかる後、ＭＣＵ２１は、制御テーブルを参照して、上記の予測結果に応じたカメラ１のＤＳＰ１２と撮像部（撮像素子）１３の電源制御内容を決定し、決定した内容の電源制御要求をカメラ１側に通知する（ステップＳＡ１３９）。具体的な電源制御内容は図７に示した通りである。これにより、ＭＣＵ２１は、カメラ１の動作モードを、通常モードと第１の省電力モードと第２の省電力モードとのいずれかに制御する。
【００９３】
但し、ステップＳＡ１３９の処理に際しては、図７に示したように、上記の予測結果が「カメラの移動を開始」であった場合については、例外的にリモコン２の状態変化を勘案してカメラ１のＤＳＰ１２と撮像部（撮像素子）１３の電源制御内容が決定される。すなわちリモコン２の状態変化が「静→動」、「動→動」、「動→静」のときには、撮像部（撮像素子）１３の電源のみをオフとするが、リモコン２の状態変化が「静→静」（変化なし）であったときには、ＤＳＰ１２と撮像部（撮像素子）１３との双方の電源をオフとする。
【００９４】
しかる後、ＭＣＵ２１は、制御テーブルを参照して、上記の予測結果に応じたリモコン２のＬＣＤ２２の電源制御内容を決定し、決定した内容の電源制御を行う（ステップＳＡ１４０）。具体的な電源制御内容は図７に示した通りである。以後、ＭＣＵ２１は電源制御処理を終了し、前述した図２の処理に戻る。
【００９５】
以上のように、本実施形態の電源制御処理においては、ＭＣＵ２１が、カメラ１とリモコン２とにおける状態の変化に基づいて、ユーザーの行動を予測し、その予測結果に従ってカメラ１の動作モードを適宜第１の省電力モード及び第２の省電力モードに設定し、かつリモコン２の動作モードを適宜省電力モードに設定する。
【００９６】
したがって、本実施形態によれば、第１の実施形態と比較して、カメラ装置の使用形態に即したより正確な電源制御を行うことができる。同時に、ユーザー（撮影者）の行動を予測して電源制御することにより、ユーザーが撮影しようとした時には直ちに撮影動作に入ることができる。
【００９７】
なお、ここでは、電源制御処理ではカメラ１とリモコン２との間の通信モードは制御しない場合について説明したが、上述した電源制御処理においても、カメラ装置の動作モードを省電力モードにする場合には、カメラ１とリモコン２との間の通信モードも省電力モードとすることが望ましい。
【００９８】
その場合には、ステップＳＡ１３６，１３９の処理において、カメラ１の撮像部（撮像素子）１３の電源をオフに制御するとき、通信モードも省電力モードとするとともに、ステップ１３９の処理において、カメラ１の撮像部（撮像素子）１３の電源をオンにするとき、通信モードも通常モードとするようにすればよい。
【００９９】
ここで、以上説明した第１及び第２の実施形態においては、カメラ１の動作モードを適宜第１の省電力モード及び第２の省電力モードに設定し、かつリモコン２の動作モードを適宜省電力モードに設定することによって、撮影待機状態におけるカメラ装置の消費電力を削減するようにした。しかし、本発明の実施に際しては、カメラ１の動作モードを常時通常モードとたり、逆にリモコン２の動作モードを常時通常モードとしたりする構成を採用することもできる。
【０１００】
また、カメラ１とリモコン２との間の通信方式にＢｌｕｅｔｏｏｔｈ（登録商標）を採用した場合について説明したが、通信方式は任意であり、Ｗｉ−Ｆｉ等を採用することもできる。
【０１０１】
また、第１及び第２の実施形態においては、リモコン２のＭＣＵ２１がカメラ１の動作モードとリモコン２の動作モードとを制御する構成について説明したが、これとは逆に、カメラ１のＭＣＵ１１がカメラ１の動作モードとリモコン２の動作モードとを制御する構成とすることもできる。
【０１０２】
すなわちＭＣＵ１１に、カメラ１とリモコン２との状態を確認し、それに基づいてカメラ装置の使用状態を判断するとともに、その判断結果に応じてカメラ１の動作モードを適宜第１の省電力モード及び第２の省電力モードに設定し、かつリモコン２の動作モードを適宜省電力モードに設定する処理を行わせる構成としてもよい。
【０１０３】
その場合には、リモコン２のＭＣＵ２１に、カメラ１からの要求に応じてリモコン２の状態を取得し、それを示す状態情報をカメラ１へ送信する処理、及びカメラ１からの要求に応じてＬＣＤ２２の電源を制御する処理を行わせればよい。
【０１０４】
また、前述したカメラ１とリモコン２の具体的な構成は任意であり、本発明の実施に際しては、無線によるデータ通信機能を有する構成であれば、例えばカメラ１は、一般的なデジタルカメラによって実現してもよい。その場合には、基本的な動作モードである撮影モードとは別に、又は撮影モードの下位の動作モードとして、図４に示した処理を行う動作モードを別途設けるようにすればよい。
【０１０５】
さらに、カメラ１は、リモコン２と異なる場所に設置可能なものであれば、ユーザーが必要に応じて身に付けることができるもの、例えばユーザーが所定の補助具を用いての頭部に装着可能なヘッドセット型のものであっても構わない。その場合には、例えばユーザーに、カメラ１を身に付けているか否かの使用状態をリモコン２を用いて設定させ、ユーザーがカメラ１を身に付けていない使用状態にあるときにだけ、カメラ１とリモコン２に前述した処理を行わせる構成とすればよい。
【０１０６】
また、リモコン２についても、無線によるデータ通信機能を有する構成であれば、例えばユーザーの腕に装着可能なウォッチ型の携帯情報端末や、所謂スマートフォン（高機能の携帯電話機）等によって実現してもよい。
【０１０７】
また、以上の説明においては、本発明をカメラ１（撮像装置）とリモコン２（操作装置）とからなるカメラ装置に採用した場合について説明したが、これに限らず、本発明は、無線に接続された操作装置と電子機器とからなる操作システムであれば、任意の操作システムに採用することができる。その場合においても、操作システムにおいて消費電力を効果的に削減することが可能となる。
【０１０８】
任意の操作システムには、例えば音楽プレーヤー（電子機器）と、音楽プレーヤーにＢｌｕｅｔｏｏｔｈ（登録商標）等で接続されるとともに、音楽プレーヤーを操作する操作ボタン等を備えたベッドフォン（操作装置）が含まれる。
【０１０９】
以上、本発明の実施形態、及びその変形例について説明したが、これらは本発明の作用効果が得られる範囲内であれば適宜変更が可能であり、変更後の実施形態も特許請求の範囲に記載された発明、及びその発明と均等の発明の範囲に含まれる。以下に、本出願の当初の特許請求の範囲に記載された発明を付記する。
［請求項１］
操作装置と、当該操作装置から無線により操作される電子機器とを含む操作システムであって、
前記操作装置及び前記電子機器が動きのある状態又は動きのない状態のいずれの状態にあるかを個別に確認する確認手段と、
前記確認手段により個別に確認された前記操作装置の状態及び前記電子機器の状態に基づいて操作システムの使用状態を判断する判断手段と、
前記判断手段により操作システムの使用状態が所定の使用状態であると判断された場合に、前記操作システムの動作を、前記操作装置による前記電子機器の操作時に確保すべき通常動作よりも消費電力が少ない省電力動作に制御する制御手段と
を備えたことを特徴とする操作システム。
［請求項２］
前記判断手段は、前記確認手段により個別に確認された前記操作装置の状態及び前記電子機器の状態の変化に基づいて操作システムの使用状態を判断することを特徴とする請求項１記載の操作システム。
［請求項３］
前記制御手段は、前記操作システムの前記省電力動作への制御に際し、前記操作装置における所定のディバイスへの電源供給と、前記電子機器における所定のディバイスへの電源供給とを共に停止させることを特徴とする請求項１又は２記載の操作システム。
［請求項４］
前記電子機器における電源供給の停止対象となる前記所定のディバイスは複数であり、
前記制御手段は、前記判断手段による判断結果の内容に応じて、１乃至複数の前記所定のディバイスへの電源供給を停止させることを特徴とする請求項３記載の操作システム。
［請求項５］
前記操作システムの前記省電力動作における動作内容には、前記操作装置と前記電子機器との間の無線による通信モードを通常モードよりも消費電力が少ない省電力モードとする内容が含まれることを特徴とする請求項１乃至４のいずれか１項に記載の操作システム。
［請求項６］
操作装置と、当該操作装置から無線により操作される電子機器とを含む操作システムにおける消費電力制御方法であって、
前記操作装置及び前記電子機器が動きのある状態又は動きのない状態のいずれの状態にあるかを個別に確認する確認工程と、
前記確認工程で確認した前記操作装置及び前記電子機器の状態に基づいて操作システムの使用状態を判断する判断工程と、
前記判断手段により操作システムの使用状態が所定の使用状態であると判断された場合に、前記操作システムの動作を、前記操作装置による前記電子機器の操作時に確保すべき通常動作よりも消費電力が少ない省電力動作に制御する制御工程と
を含むことを特徴とする消費電力制御方法。
［請求項７］
操作装置と、当該操作装置から無線により操作される電子機器とを含む操作システムにおける前記操作装置であって、
当該装置において検出された当該装置が動きのある状態又は動きのない状態のいずれの状態にあるかを示す情報、及び前記電子機器から受信した前記電子機器が動きのある状態又は動きのない状態のいずれの状態にあるかを示す情報に基づいて、前記操作装置及び前記電子機器が動きのある状態又は動きのない状態のいずれの状態にあるかを個別に確認する確認手段と、
前記確認手段により個別に確認された前記操作装置の状態及び前記電子機器の状態に基づいて操作システムの使用状態を判断する判断手段と、
前記判断手段により操作システムの使用状態が所定の使用状態であると判断された場合における所定のディバイスへの電源供給を停止する制御手段と、
前記電子機器に対し、前記判断手段により操作システムの使用状態が所定の使用状態であると判断された場合に前記電子機器が有する所定のディバイスへの電源供給を停止させるための、制御要求を行う制御要求手段と
を備えたことを特徴とする操作装置。
［請求項８］
操作装置と、当該操作装置から無線により操作される電子機器とを含む操作システムにおける前記操作装置が有するコンピュータを、
当該装置において検出された当該装置が動きのある状態又は動きのない状態のいずれの状態にあるかを示す情報、及び前記電子機器から受信した前記電子機器が動きのある状態又は動きのない状態のいずれの状態にあるかを示す情報に基づいて、前記操作装置及び前記電子機器が動きのある状態又は動きのない状態のいずれの状態にあるかを個別に確認する確認手段、
前記確認手段により個別に確認された前記操作装置の状態及び前記電子機器の状態に基づいて操作システムの使用状態を判断する判断手段、
前記判断手段により操作システムの使用状態が所定の使用状態であると判断された場合における所定のディバイスへの電源供給を停止する制御手段、
前記電子機器に対し、前記判断手段により操作システムの使用状態が所定の使用状態であると判断された場合に前記電子機器が有する所定のディバイスへの電源供給を停止させるための、制御要求を行う制御要求手段
として機能させることを特徴とするプログラム。
［請求項９］
操作装置と、当該操作装置から無線により操作される電子機器とを含む操作システムにおける前記電子機器であって、
当該機器において検出された当該機器が動きのある状態又は動きのない状態のいずれの状態にあるかを示す情報、及び前記操作装置から受信した前記操作装置が動きのある状態又は動きのない状態のいずれの状態にあるかを示す情報に基づいて、前記操作装置及び前記電子機器が動きのある状態又は動きのない状態のいずれの状態にあるかを個別に確認する確認手段と、
前記確認手段により個別に確認された前記操作装置の状態及び前記電子機器の状態に基づいて操作システムの使用状態を判断する判断手段と、
前記判断手段により操作システムの使用状態が所定の使用状態であると判断された場合における所定のディバイスへの電源供給を停止する制御手段と、
前記操作装置に対し、前記判断手段により操作システムの使用状態が所定の使用状態であると判断された場合に前記操作装置が有する所定のディバイスへの電源供給を停止させるための、制御要求を行う制御要求手段と
を備えたことを特徴とする電子機器。
［請求項１０］
操作装置と、当該操作装置から無線により操作される電子機器とを含む操作システムにおける前記電子機器が有するコンピュータを、
当該機器において検出された当該機器が動きのある状態又は動きのない状態のいずれの状態にあるかを示す情報、及び前記操作装置から受信した前記操作装置が動きのある状態又は動きのない状態のいずれの状態にあるかを示す情報に基づいて、前記操作装置及び前記電子機器が動きのある状態又は動きのない状態のいずれの状態にあるかを個別に確認する確認手段、
前記確認手段により個別に確認された前記操作装置の状態及び前記電子機器の状態に基づいて操作システムの使用状態を判断する判断手段、
前記判断手段により操作システムの使用状態が所定の使用状態であると判断された場合における所定のディバイスへの電源供給を停止する制御手段、
前記操作装置に対し、前記判断手段により操作システムの使用状態が所定の使用状態であると判断された場合に前記操作装置が有する所定のディバイスへの電源供給を停止させるための、制御要求を行う制御要求手段
として機能させることを特徴とするプログラム。
［請求項１１］
前記電子機器は、被写体を撮像する撮像手段を含み、当該撮像手段により撮像した撮像画像を前記操作装置へ送信するとともに、操作装置から無線による操作に応じ撮影動作を行う撮像装置であり、
前記操作装置は、前記撮像装置から受信した前記撮像画像を表示する表示手段、及び前記撮像装置に撮影動作を行わせる操作を行うための操作手段を含む
ことを特徴とする請求項１乃至５いずれか記載の操作システム。
【符号の説明】
【０１１０】
１    撮像装置
１１    ＭＣＵ
１２    ＤＳＰ
１３    撮像素子
１４    外部記憶装置
１５    加速度センサー
１６    通信部
１７    電源部
２    操作装置
２１    ＭＣＵ
２２    表示装置
２３    操作部
２４    加速度センサー
２５    通信部
２６    電源部
【図１】
0005854334.tif 000002
【図２】
0005854334.tif 000003
【図３】
0005854334.tif 000004
【図４】
0005854334.tif 000005
【図５】
0005854334.tif 000006
【図６】
0005854334.tif 000007
【図７】
0005854334.tif 000008